(57)【要約】キーワードを用いて、ブランドの量的な及び質的なレーティングを決定するためのシステム及び方法。前記ソフトウェア、システム及び方法は：・前記ブランドに関連したキーワードの第一セットを受け取ること；・少なくとも１つの定期的な時間間隔において少なくとも２つのインプットを受け取ること    ここで前記少なくとも２つのインプットの第一はメディアタイプ及びキーワードの第二セットの使用を含み、かつ    前記少なくとも２つのインプットの第二はメディアタイプ及びキーワードの第三セットの使用を含み；・少なくともキーワードの前記第二セット及びキーワードの前記第三セットにおいて、キーワードの前記第一セットの発生した数を計算すること；並びに ・少なくとも１つのインデックスと関連付けて前記発生を保存することを含む。
2011511384.tif 000002
【特許請求の範囲】
【請求項１】
キーワードを用いて、ブランドの量的な及び質的なレーティングを決定するための方法であって：
・前記ブランドに関連した前記キーワードの第一セットを受け取ること；
・少なくとも１つの定期的な時間間隔において少なくとも２つのインプットを受け取ること
ここで前記少なくとも２つのインプットの第一はメディアタイプ（ｍｅｄｉａ  ｔｙｐｅ）及びキーワードの第ニセットの使用を含み、かつ
前記少なくとも２つのインプットの第二はメディアタイプ及びキーワードの第三セットの使用を含み；
・少なくともキーワードの前記第ニセット及びキーワードの前記第三セットにおいて、キーワードの前記第一セットの発生した数を計算すること；
・少なくとも１つのインデックスと関連付けて前記発生を保存すること；
・前記発生のそれぞれの質的な使用を評価すること；並びに
・前記発生のそれぞれ１つ及び前記少なくとも１つのインデックスと関連付けて前記質的な使用を保存すること
を含む方法。
【請求項２】
請求項１に記載の方法であって、前記少なくとも１つのインデックスは時間、地理、及び人口統計からなる群より選択される少なくとも１つを含む方法。
【請求項３】
請求項１に記載の方法であって、さらに、少なくともキーワードの前記第一セット、前記発生の数、及び前記質的な使用のグラフィカルユーザインターフェースを通した閲覧（Ｖｉｅｗｉｎｇ）を提供することを含む方法。
【請求項４】
請求項３に記載の方法であって、前記のキーワード第一セットを受け取ることが、前記グラフィカルユーザインターフェースからキーワードの前記第一セットを受け取ることを含む方法。
【請求項５】
請求項１に記載の方法であって、前述した前記発生を保存することが、少なくとも１つのデータベースに前記発生を保存することを含む方法。
【請求項６】
請求項５に記載の方法であって、前記データベースが少なくとも１つのリレーショナルデータベースである方法。
【請求項７】
請求項１に記載の方法であって、前記発生の数がドメインにおける発生を含む方法。
【請求項８】
請求項７に記載の方法であって、前記ドメインが前記メディアタイプ内のドメインを含む方法。
【請求項９】
請求項７に記載の方法であって、前記ドメインがプラットフォームを含む方法。
【請求項１０】
請求項１に記載の方法であって、前記ドメインが指定された市場分野、日々の印象、及び人口統計学の少なくとも一つと関連付けられている方法。
【請求項１１】
請求項１に記載の方法であって、前記定期的な時間間隔が一時間、一日、及び一月のうち１つを含む方法。
【請求項１２】
請求項１に記載の方法であって、前記発生の数がネットワーク化されたページの数及びネットワーク化されたページ閲覧（ｐａｇｅ  ｖｉｅｗｓ）の見積り数の少なくとも１つを含む方法。
【請求項１３】
請求項１に記載の方法であって、前記発生の数がテレビ局上で話された発生を含む方法。
【請求項１４】
請求項１に記載の方法であって、前記発生の数がラジオ局上で話された発生を含む方法。
【請求項１５】
請求項１に記載の方法であって、前記発生の数がモバイル装置へのダウンロードを含む方法。
【請求項１６】
請求項１に記載の方法であって、前記質的な使用がコンテキスト（ｃｏｎｔｅｘｔ）を含む方法。
【請求項１７】
請求項１６に記載の方法であって、前記コンテキストは使用タイプ、使用メディア、使用プラットフォーム、 使用のネガティブ性（ｎｅｇａｔｉｖｉｔｙ）、及び使用のターゲットとなる客層の少なくとも１つを含む方法。
【請求項１８】
請求項１に記載の方法であって、キーワード前記第一セットの組み合わせが重み付けされる方法。
【請求項１９】
請求項１に記載の方法であって、前記定期的な時間間隔が継続的なものを含む方法。
【請求項２０】
請求項１に記載の方法であって、さらに前記発生の数から、要求された発生、イリーガルな発生及び不適切な発生の少なくとも１つをフィルタリングすることを含む方法。
【請求項２１】
キーワードを用いて、ブランドの量的な及び質的なレーティングを決定するための装置であって：
・ブランドに関連したキーワードの第一セットを受け取るためのレシーバー；
・少なくとも一つの定期的な時間間隔において受け取られた第一のインプットであって、メディアタイプ及びキーワードの第ニセットを含む第一のインプット；
・前記少なくとも一つの定期的な時間間隔において受け取られた第二のインプットであって、メディアタイプ及びキーワードの第三セットを含む第二のインプット；
・前記量的な及び質的なレーティングの評価をするためのプロセッサーであって、前記プロセッサーは：
・少なくともキーワードの前記第ニセット及びキーワードの前記第三セットにおけるキーワードの前記第一セットの発生数を計算し；
・少なくとも１つのインデックスに関連付けて前記発生を保存し；及び
・それによって前記発生のそれぞれの前記質的な使用を評価し；並びに
・前記プロセッサーと関連付けられた少なくとも１つのコンピュータ化されたメモリであって、前記発生のそれぞれ１つ及び前記少なくとも１つのインデックスと関連付けて、前記質的な使用を保存するためのメモリ
を含む装置。
【請求項２２】
請求項２１に記載の装置であって、前記少なくとも１つのインデックスが、時間、地理、及び人口統計からなる群より選択される少なくとも１つを含む装置。
【請求項２３】
請求項２１に記載の装置であって、さらに少なくともキーワードの前記第一セット、前記発生の数、及び前記質的な使用の閲覧のためのグラフィカルユーザインターフェースを含む装置。
【請求項２４】
請求項２３に記載の装置であって、キーワードの第一セットを受け取る前記レシーバーが前記グラフィカルユーザインターフェースからキーワードの前記第一セットを受け取るためのレシーバーを含む装置。
【請求項２５】
請求項２１に記載の装置であって、前記発生を保存する前記メモリーが、少なくとも１つのデータベースに前記発生を保存することを含む装置。
【請求項２６】
請求項２５に記載の装置であって、前記データベースが少なくとも１つのリレーショナルデータベースである装置。
【請求項２７】
請求項２１に記載の装置であって、前記発生の数がドメインにおける発生を含む装置。
【請求項２８】
請求項２７に記載の装置であって、前記ドメインが前記メディアタイプ内のドメインを含む装置。
【請求項２９】
請求項２７に記載の装置であって、前記ドメインがプラットフォームを含む装置。
【請求項３０】
請求項２１に記載の装置であって、前記ドメインが指定された市場分野、日々の印象、及び人口統計学の少なくとも１つと関連付けられている装置。
【請求項３１】
請求項２１に記載の装置であって、前記定期的な時間間隔が一時間、一日、及び一月のうち１つを含む装置。
【請求項３２】
請求項２１に記載の装置であって、前記発生の数がネットワーク化されたページの数及びネットワーク化されたページ閲覧の見積り数の少なくとも１つを含む装置。
【請求項３３】
請求項２１に記載の装置であって、前記発生の数がテレビ局上で話された発生を含む装置。
【請求項３４】
請求項２１に記載の装置であって、前記発生の数がラジオ局上で話された発生を含む装置。
【請求項３５】
請求項２１に記載の装置であって、前記発生の数がモバイル装置へのダウンロードを含む装置。
【請求項３６】
請求項２１に記載の装置であって、前記質的な使用がコンテキストを含む方法。
【請求項３７】
請求項３６に記載の装置であって、前記コンテキストは使用タイプ、使用メディア、使用プラットフォーム、 使用のネガティブ性、及び使用のターゲットとなる客層の少なくとも一つを含む装置。
【請求項３８】
請求項２１に記載の装置であって、キーワードの前記第一セットの組み合わせが重み付けされる装置。
【請求項３９】
請求項２１に記載の装置であって、前記定期的な時間間隔が継続的なものを含む装置。
【請求項４０】
請求項２１に記載の装置であって、さらに前記発生の数から、 要求された発生、イリーガルな発生及び不適切な発生の少なくとも一つをフィルタリングするためのフィルターを含む装置。
【請求項４１】
キーワードを用いて、ブランドの量的なレーティングを決定するための方法であって：
・前記ブランドに関連した前記キーワードの第一セットを受け取ること；
・少なくとも１つの定期的な時間間隔において少なくとも２つのインプットを受け取ること
ここで前記少なくとも２つのインプットの第一はメディアタイプ及びキーワードの第ニセットの使用を含み、かつ
前記少なくとも２つのインプットの第二はメディアタイプ及びキーワードの第三セットの使用を含み；
・少なくともキーワードの前記第ニセット及びキーワードの前記第三セットにおいて、キーワードの前記第一セットの発生の数を計算すること；
・少なくとも１つのインデックスと関連付けて前記発生を保存すること；並びに
・前記発生の数から要求された発生、イリーガルな発生及び不適切な発生の少なくとも一つをフィルタリングすること
を含む方法。
【請求項４２】
キーワードを用いて、ブランドの前記質的なレーティングを決定するための方法であって：
・前記ブランドに関連した前記キーワードの第一セットを受け取ること；
・少なくとも１つの定期的な時間間隔において少なくとも２つのインプットを受け取ること
ここで前記少なくとも２つのインプットの第一はメディアタイプ及びキーワードの第ニセットの使用を含み、かつ
前記少なくとも２つのインプットの第二はメディアタイプ及びキーワードの第三セットの使用を含み；
・前記発生のそれぞれの前記質的な使用を評価すること；並びに
・前記発生の前記それぞれ一つと関連付けて、前記質的な使用を保存すること
を含む方法。
【発明の詳細な説明】
【技術分野】
【０００１】
本願発明は、概してブランドの使用に関するものであり、及びより具体的には、ブランドの質的な及び量的な使用を評価するシステム、ソフトウェア及び方法を提供する。
【背景技術】
【０００２】
商品、サービス及び人についてのブランドといったブランド及び、より具体的にはブランドに関連したキーワードは、あらゆる利用可能なメディアにわたって、毎日毎分使用されている。これらの使用によって、対象となっているブランドによる広告が形成されることもある。しかし、対象となっているそのブランドに関連した如何なる団体によってもなされているものではない、対象となっているブランドの批判、ブランドに関しての競合的な陳述、ブランドに関しての消費者による議論、及びそれに類するものを形成することもある。
【０００３】
キーワード検索は、インターネットといった特定のメディアでは現在利用可能ではあるけれども、そのような検索は、テレビやラジオのような、全てのメディアにおいて現在利用可能とはなっていない。上記で議論したように、あるブランドが広告へ掲載し、そして主要な広告が掲載され又は再生されたことの確認を受け取った場合に、ブランドはブランドに関連したキーワードの使用に気がつくことができるだけであるという事実からみて、そのような使用の質的な及び量的な測定において、１つ又は複数のメディアにわたってそのブランドに関連したキーワードの全ての使用を検索結果として返すであろうキーワード検索をそのブランドにとって利用可能にすることは有益であろう。そして、特定のブランドに関連した又は興味ある人々がそのような検索を要求し、自動的に定期的な期間で実行すれば有益であろう。
【発明の概要】
【発明が解決しようとする課題】
【０００４】
従って、１つ又は複数のメディアにわたってブランドに関連したキーワードを検索し、それによってそのブランドに関連したそれらのキーワードの質的な及び量的な使用を評価するソフトウェア、システム及び方法の必要性が存在する。
【課題を解決するための手段】
【０００５】
本願発明の概要
本願発明は、キーワードを用いて、量的な及び質的なブランドのレーティングを決定するためのソフトウェア、システム及び方法を包含する。前記ソフトウェア、システム及び方法は：
・前記ブランドに関連した前記キーワードの第一セットを受け取ること；
・少なくとも一つの定期的な時間間隔において少なくとも２つのインプットを受け取ること、
ここで前記少なくとも２つのインプットの第一はメディアタイプ（ｍｅｄｉａ  ｔｙｐｅ）、及びキーワードの第ニセットの使用を包含し，
前記少なくとも２つのインプットの第二はメディアタイプ及びキーワードの第三セットの使用を包含し；
・少なくともキーワードの前記第ニセット及びキーワードの前記第三セットにおけるキーワードの前記第一セットの発生した数を計算すること；並びに
・少なくとも１つのインデックスに関連付けて前記発生を保存すること
を含む。
本願発明は、さらには、例えば、前記発生のそれぞれの質的な使用を評価すること、並びに前記発生のそれぞれ及び前記少なくとも１つのインデックスと関連付けて前記質的な使用を保存することを含んでも良い。
【０００６】
従って、本願発明は一つ又は複数のメディアにわたって、ブランドに関連したキーワードを検索し、それによってそのブランドに関連したこれらのキーワードの質的な及び量的な使用を評価するソフトウェア、システム及び方法を提供する。
【図面の簡単な説明】
【０００７】
【図１】ソフトウェア及びハードウェアの構成を表す図である。
【図２】量的なレーティングを表す図である。
【図３】質的なレーティングを表す図である。
【図４】ＧＵＩに含まれる各種インターフェースを表す図である。
【発明を実施するための形態】
【０００８】
発明の詳細な説明
本願発明は、所与のブランドセットから、ブランド（Ｂ）の量的な及び質的なレーティングを決定するためのソフトウェアであり、及び前記ソフトウェアを包含する。前記決定されたレーティングは時間、地理、人口統計、又はここでの議論に基づいて当業者に明らかな他のインデックス要素のうちの少なくとも一つによって、インデックス化されてもよい。
【０００９】
本願発明のソフトウェア（１０）は、ここでは「プログラム」又は「システム」とも呼ぶが、図１に示されるようなコンピューティングハードウェアと関連付けられかつ相互作用が可能であることが最も好ましい。前記コンピュータハードウェアは、限定的ではないが、当業者にとって知られているだろう、ランダムアクセスメモリ（ＲＡＭ）、リードオンリメモリ（ＲＯＭ）、及びＥＥＰＲＯＭのような他の種類のメモリーといった、１つ又は複数のメモリー又はストレージデバイス（１４）と関連付けられた少なくとも１つのマイクロプロセッサ（１２）を含む。プログラムを、当業者にとって明らかでもあるように、１つ又は複数のオペレーティングシステム（２０）上で又はそれと関連付けて実行することができる。そのようなオペレーティングシステムは、典型的には、コンピューター、テレビ、ラジオ放送並びに、電話及び個人用の携帯情報端末といったモバイルコンピューティング装置に関連付けることができる。そして、プログラムはグラフィカルユーザインターフェースフォーマット（ＧＵＩ）（２２）において、インプット及びアウトプットを提示してもよく、ＧＵＩは前述のオペレーティングシステムに依存してもよく、又はしなくともよい。ＧＵＩは、１又は複数のプログラムユーザによって、プログラム、（具体的には前記プログラムのインプット又はアウトプット）との相互作用、又はプログラムの操作を可能にすることが好ましい。
【００１０】
プログラムは、複数行のコンピューティングコードであり、及びそれらを包含し、ＧＵＩを経由して受け取ったインストラクションに従って１つまたは複数のマイクロプロセッサによって実行されたときに、メモリー装置又は外部メモリーリンク若しくはロケーションから情報を引き出し、本明細書で議論されるステップを実行する。この包括的なステップにより、所与のブランド（Ｂ）のセットに対して、量的な及び質的な各Ｂのレーティングの決定する。時間、地理及び人口統計の少なくとも１つ又は複数によってインデックス化される。
【００１１】
より具体的には、Ｂは１つのブランド名又はブランド名のセットによって定義される。様々なＢのセットは、データベース、テーブル、又はそれに類するものに保存することができ、当該データベース、テーブル又はそれに類するものは、その特性においてリレーショナルとすることができ、そして、当該データベース、テーブル又はそれに類するものは、ローカルで又はリモートで前記１つの又は複数のメモリー又はストレージデバイスと関連付けることができ、又はそれらの一部を形成することができる。同様に、Ｄはデータベース、テーブル又はそれに類するものに保存されたドメイン又はドメインのセットによって定義される。ドメイン（Ｄ）はプラットフォーム若しくはメディアタイプとすることができ、又はインターネットドメインといった特定のメディアタイプ内のドメインであってもよい。例えば、Ｄはロサンゼルスのテレビ局若しくはラジオ局であってもよく、又はインターネットドメインであってもよい。ドメイン（Ｄ）は、好ましくは、例えば様々な指定された市場分野（ＤＭＡ）、日々の印象及び／又は及び人口統計学と関連付けられる。
【００１２】
時間単位、日単位、月単位、又は年単位といった如何なる選択された時間枠においても、例えば、ＢはＤに基づく量的なレーティングを受け取っても良い。前記量的なレーティングは、例えば典型的なネットワーク化された環境においては、図２に示されるような多数の要素のいずれかを用いて、Ｂごとに時間枠当たりのネットワーク化されたページの数（ＵＲＬ）及び／又は見積もられたネットーワーク化されたページの閲覧（ページの印象）数を、ＤＭＡ及び／又は人口統計によって区分して測定することによって認識されることができる。人口統計には例えば、年齢、人種、収入範囲、宗教上の加入、購入の習慣又はそれに類するものを含んでも良い。
【００１３】
いうまでもなく「ページの数」又は「見積もられたページの閲覧」は、ネットワーク化されていないメディア、他のプラットフォーム又は他のメディアタイプにおいて、同様の測定に容易に置換することができ、例として：モバイル装置、ラジオ、テレビ若しくは映画上のオーディオリファレンス；モバイル装置、テレビ若しくは映画上のビデオリファレンス；及び／又はモバイル装置上、テレビ上若しくは映画中のプリント又はプリント中のテキストリファレンスといったものがある。そのような本願発明の更なる別の実施形態において、限定するものではないがデータ、ビデオ及びオーディオキャプチャリング；テキスト／ＯＣＲスキャンニング；デジタルデータ/テキスト、オーディオ及びビデオフィンガープリンティング；透かし（ｗａｔｅｒｍａｒｋｉｎｇ）並びにそれに類するものといった様々な技術が、リファレンス使用を評価するために採用されてもよい。本明細書に開示された観点から当業者にとって容易に理解されるように、そのようなネットワーク化された及びネットワーク化されていない技術における使用は、本願発明を利用して、個別に又は２つ以上のネットワーク化された又はネットワーク化されてない技術の組み合わせのいずれかで、量的及び質的に追跡することができる。
【００１４】
時間単位、日単位、月単位、又は年単位といった如何なる選択された時間枠においても、例えば、Ｂは質的なレーティングも受け取とることができる。前記質的なレーティングは、図３に示されるように所与の量的な測定のためにといった、期間ごとのＢと関連する量的な測定のコンテキスト（ｃｏｎｔｅｘｔ）を測定してもよい。コンテキストは、例えば、使用の種類、使用メディア、使用のプラットフォーム、その使用が支持するものかネガティブなものであるか、使用のターゲットとなる客層、及びそれに類する測定の１つ又は複数を含んでも良い。
【００１５】
量的な及び／若しくは質的な測定、並びに／又はそれらに関連したデータは、例えば、グラフィカルユーザインターフェース（ＧＵＩ）を通して、ローカルで又はリモートで閲覧することができる。ＧＵＩは、例えば、インターネット、イントラネット又はエクストラネットといったネットワークを通して利用可能なものであってもよい。ＧＵＩは、例えばウェブブラウザ経由又はその中で利用可能なものであってもよい。ＧＵＩは、例えば図又は表の形式といったあらゆる知られたの形式で前記測定を表示することができる。前記測定は、例えば生の又は標準化された形式で表示されてもよい。
【００１６】
ＧＵＩは、異なるターゲットのための一連の広告テンプレートであってもよく及びそれらを含んでもよく、並びに承認された、著作権の対象となる（ｃｏｐｙｒｉｇｈｔａｂｌｅ）、及び／又は公の人物のコンテンツの、そのようなコンテンツの非所有者による使用を許可するクリアリングハウスであってもよく及びそれらを含んでもよい。ＧＵＩは、さらにはブランド類縁性を生成するために、コンテキスト使用及びブランド認知の使用を提供してもよい。従ってＧＵＩは、図４について図示されているように、少なくとも、広告／保証（ｅｎｄｏｒｓｅｍｅｎｔ）を生成するインターフェース、コンテンツ提供のインターフェース、承認エンジンインターフェース、及び前記レポーティングインターフェースを含んでも良い。
【００１７】
前記広告生成インタフェースは、特定の市場をターゲットとするため又は特定のプラットフォーム若しくはメディアにおける使用のため、及び／又は保証者、提携（ａｆｆｉｌｉａｔｅ）、提携された製品、若しくはそれに類するものと関連づけるために、広告、アナウンス、データファイル、又はそれに類するものを生成する機能をユーザに提供することができる。前記広告生成インタフェースは、例えば、多数の広告テンプレートを提供してもよく、そこからユーザが所望の広告フォーマット又は特定のターゲットに最適と提案されたフォーマットを選択することができる。
【００１８】
コンテンツ提供のインターフェースは、コンテンツを提供するユーザにとってアクセス可能であることができる。コンテンツ提供のインターフェースは、コンテンツを提供するユーザによって利用可能となったコンテンツに関して、どの使用及びどの使用の承認を許可するかを、コンテンツを提供するユーザが選択することを可能にしてもよい。コンテンツを提供するユーザによって提供されたコンテンツは、コンテンツを提供するユーザによって、コンテンツ提供のインターフェース経由で、直接ストレージに入れられてもよく、又は前記コンテンツへのリンクを経由して提供されてもよく、前記リンクはコンテンツ提供のルールエンジン及びインターフェースの外であり、しかし、前記リンクは、前記コンテンツルールエンジンが如何なるフォーマットにおける如何なるソースからもコンテンツを引き出すことを許可することができる。
【００１９】
コンテンツを提供するユーザに提供される承認エンジンインターフェースは、最終承認、追跡及びレポーティングを含めた様々な理由により、広告を発生させるユーザによって要求された広告が、コンテンツ提供者へ送り返されることを許可することができる。例えば、特定の広告又は保証は、コンテンツ提供ルールエンジンに入力されたルールに準拠して自動的に承認されてもよい。さらには又は一方で、特定の基準を満たす要求された保証や提携はコンテンツ提供者に送り返されてもよく、又は全ての要求は最終承認のため、コンテンツ提供者に送り返されてもよい。
【００２０】
ＧＵＩのレポーティングインターフェースは前述したインターフェース内で、又はそれに関連して発生した１つ又は複数の活動についてレポートすることができ、さらには、あらゆる知られた形式で、以前議論した量的な及び質的な測定のレポーティングを提供することができる。従って、例えば、レポートは対象となるブランド（Ｂ）と関連づけられるように予め決められた１つ又は複数のキーワードの使用のメディア、使用のタイプ、使用量、又は他の量的な若しくは質的な使用の測定に基づいて発行されてもよい。そして、例えば、異なるレポートが、キーワードの特定のセットの異なる組み合わせについて入手可能であってもよい。
【００２１】
本願発明のソフトウェア、システム及び方法の例示的な実施形態において、ブランド（Ｂ）のリストは、コンピュータ化されたメモリと関連付けられたデータベースに保存されることができる。各Ｂは、１つ又は複数の様々なキーワードと関連付けられてもよい。例えば、もしＢがカントリー歌手のＫｅｎｎｙ  Ｒｏｇｅｒｓの場合、関連するキーワードとして、「Ｋｅｎｎｙ」、「Ｒｏｇｅｒｓ」、「Ｍｕｓｉｃ」、「Ｃｏｕｎｔｒｙ」又は「Ｇａｍｂｌｅｒ」が含まれるかもしれない。これらのキーワードの異なる組み合わせに対して、重み付けを割り当てることもできる。例えば、「Ｋｅｎｎｙ  Ｒｏｇｅｒｓ」及び「Ｃｏｕｎｔｒｙ  Ｍｕｓｉｃ」に対しては、正確なマッチング使用として、そして、従って明らかに対象となっているブランド（Ｂ）へのリファレンスとして最大の重み付けを与えることができる一方で、「Ｒｏｇｅｒｓ」及び「Ｇａｍｂｌｅｒ」の組み合せ使用に対しては低い重み付けを与える。なぜならば、当該使用が対象となるブランドＢとかなり関連しそうであるが、前者よりもマッチング使用の確実性が低いためである。
【００２２】
ドメイン（Ｄ）のリストは、データベースにＢと共に、又は別のデータベースに保存されても良い。各Ｄは、ＤＭＡ適用範囲、日ごとのページ閲覧（ｐａｇｅ  ｖｉｅｗ）、人口統計、及びそれに類するものといった、様々なパラメータと関連づけることができる。
【００２３】
そして、ソフトウェア、システム及び方法は、継続的に又は予め決められたバッチ時間のいずれかで、Ｂに割り当てられた全てのキーワードを通して繰り返される。この繰り返しは、一時間に一度といった与えられた時間間隔で新たに発生しても良い。より具体的には、検索クエリは、Ｂのキーワードのオンラインでの使用を所与の期間で探し、以前に議論した重み付けされた組み合せにおけるそのようなキーワードの使用を探すことができることが好ましい。前記検索は、Ｇｏｏｇｌｅ（登録商標）の検索ＡＰＩのような知られた検索ＡＰＩを用いて検索するといった、インターネットを検索するための、あらゆる知られた検索又はクロールする方法によって実行されても良い。
【００２４】
例示的な実施形態において、レポーティングを要求するユーザによってそのように設定された場合に、本願発明の検索は、広告エンジンによって掲載された広告、より具体的にはＧｏｏｇｌｅ（登録商標）広告によって掲載された広告といった、Ｂ自体によって掲載された広告においてのキーワードの使用についてフィルタリングを行い、そして除外することができる。本願発明は、さらにはイリーガルな又は不適切な使用のためのフィルターを行い、そして、実際にキーワード追跡に加えて、そのようなイリーガルな又は不適切な使用を別途追跡してもよい。
【００２５】
検索結果は、あらゆる知られたメディアにあらゆる知られた形式に従って保存することができ、ユーザが望む程度の、使用に関する詳細を含めることができる。例えば、本願発明１つ若しくは複数の前述したデータベース、又は特定のデータベースに検索結果を保存してもよく、そして保存された結果は用いられた要約テキスト及び／又は使用されたＵＲＬといった、あらゆる使用に関する詳細を含んでもよい。保存された結果は、Ｂとリンクされても良く、例えば、時刻を記録されてもよい。
【００２６】
このデータに基づいて、多くの量的な及び質的な測定が行われてもよい。例えば、インターネットを使用した問い合わせに関して、全体の特有のＵＲＬのＢごと・期間ごとのリターンが評価され、同様にデータベースに保存されても良い。Ｄごと・日ごとといった期間ごとの全体のヒットが検索され、それによってドメイン計量ごとのブランドの生成を可能にする。各Ｄについては、キーワード検索結果のドメイン及びＤをクロスリファレンスするといったことによって、各Ｂに関するなどの、ＤＭＡ適用範囲マップ、人口統計学的マップ又は分析及びそれに類するものが計算されてもよい。
【００２７】
ＧＵＩのオペレーター並びに／又は本願発明のソフトウェア、システム及び方法のオペレーターは、検索中の間、本願発明の検索と相互作用しても良い。例えば、本願発明のプログラムが実行されているとき、オペレーターは、手動で更なるＤを追加して、適用範囲を広げても良く、前記追加は検索が実行されているときに、リアルタイムでＧＵＩによってオペレータに提示されている予備的な検索結果に基づいても良い。
【図１】
2011511384.tif 000003
【図２】
2011511384.tif 000004
【図３】
2011511384.tif 000005
【図４】
2011511384.tif 000006
【国際調査報告】
2011511384.tif 000007